(57)【特許請求の範囲】
【請求項１】
ベルトの長手方向と直交する幅方向において、前記ベルトを隔てて対向配置されるガイド板と、
各前記ガイド板の間に架設され、前記ベルトの長手方向に沿って互いに所定の間隔を隔てて配置される固定板と、
各前記ガイド板に係脱されるベルト巻回部材とを備え、
前記ベルト巻回部材は、
各前記ガイド板の間に、各前記固定板と対向するように架設される２つの巻回杆と、
２つの前記巻回杆の一方側端部を連結する連結杆とが、一体的に形成されており、
一方のガイド板には、２つの巻回杆の一方側端部がそれぞれ挿通される挿通孔が、前記ベルトの長手方向において所定の間隔を隔てて設けられており、
他方のガイド板には、２つの巻回杆の他方側端部がそれぞれ着脱自在に係止される係止溝が、前記ベルトの長手方向において所定の間隔を隔てて設けられており、
他方のガイド板における各係止溝のベルトの長手方向における外側端部が、各係止溝を隔てて対向する内側中央部に対してより高く形成されていることを特徴とする、ベルト止め具。
【請求項２】
各前記固定板におけるベルトの長手方向の内側端部であって、各ガイド板との連結部分には、ベルトの長手方向外側にえぐる湾曲状のえぐり部が形成されていることを特徴とする、請求項１に記載のベルト止め具。
【発明の詳細な説明】
【０００１】
【発明の属する技術分野】
本発明は、ベルト止め具に関し、詳しくは、荷物の固縛や荷締などに用いられるベルト止め具に関する。
【０００２】
【従来の技術】
荷物の固縛や荷締などに用いられるベルト止め具として、たとえば、実開平５−２８７３号公報や実開平５−７１１５６号公報に記載される荷締ベルト用バックルが知られている。これらのうち、たとえば、実開平５−７１１５６号公報に記載される荷締ベルト用バックルは、たとえば、図１４に示されるように、荷締ベルト１の幅方向において対向配置される１対のガイド板２と、各ガイド板２の間に架設され、荷締ベルト１の長手方向に沿って互いに所定の間隔を隔てて配置される２枚の固定板３と、各ガイド板２の間において、各固定板３と対向するように架設され、各ガイド板２の係止孔６に係脱自在に挿通される２本のピン４とを備えている。
【０００３】
そして、この荷締ベルト用バックル７では、各固定板３の間の空間から、ループ状に折り返された荷締ベルト１の両端部を、各ガイド板２の間にそれぞれ挿通して、各ピン４を、各端部における折り返されたループ部５に挿通した後に、各ガイド板２の係止孔６に係止させることにより、荷締ベルト１を緊締した状態で固定するようにしている。
【０００４】
このような荷締ベルト用バックル７では、各ピン４が、各ガイド板２の係止孔７に対して係脱自在とされているため、たとえば、各ピン４が各ガイド板２に固着されている場合には、荷締ベルト１を、各ピン４に折り返し状に挿通する必要があるが、そのような必要をなくして、予め折り返したループ部５にピン４を挿通するのみで固定することができ、荷締ベルト１の長手方向途中から装着できるので、作業性の向上を図ることができるという利点を有している。
【０００５】
【発明が解決しようとする課題】
しかし、上記の荷締ベルト用バックル７では、各ピン４を、それぞれ荷締ベルト１の各端部のループ部５に挿通した後に、それぞれ係止孔６に係止する必要があり、やはり固定作業に手間がかかるという不具合がある。
【０００６】
とりわけ、多数の荷物を順次荷締するような作業においては、１つの荷締ベルト用バックル７の固定に時間がかかると、作業全体としての効率が低下して、荷締作業の効率化が図れないという不具合を生じる。
【０００７】
本発明は、このような不具合に鑑みなされたものであり、その目的とするところは、簡易な構成によって、簡易かつ迅速な固定作業を実現することのできるベルト止め具を提供することにある。
【０００８】
【課題を解決するための手段】
上記の目的を達成するため、請求項１に記載の発明は、ベルト止め具において、ベルトの長手方向と直交する幅方向において、前記ベルトを隔てて対向配置されるガイド板と、各前記ガイド板の間に架設され、前記ベルトの長手方向に沿って互いに所定の間隔を隔てて配置される固定板と、各前記ガイド板に係脱されるベルト巻回部材とを備え、前記ベルト巻回部材は、各前記ガイド板の間に、各前記固定板と対向するように架設される２つの巻回杆と、２つの前記巻回杆の一方側端部を連結する連結杆とが、一体的に形成されており、一方のガイド板には、２つの巻回杆の一方側端部がそれぞれ挿通される挿通孔が、前記ベルトの長手方向において所定の間隔を隔てて設けられており、他方のガイド板には、２つの巻回杆の他方側端部がそれぞれ着脱自在に係止される係止溝が、前記ベルトの長手方向において所定の間隔を隔てて設けられており、他方のガイド板における各係止溝のベルトの長手方向における外側端部が、各係止溝を隔てて対向する内側中央部に対してより高く形成されていることを特徴としている。
【０００９】
このような構成によると、ベルト巻回部材が、２つの巻回杆とそれらを連結する連結杆とから一体的に形成されているので、ベルト巻回部材を、各ガイド板に対して一体的に係脱させることができる。
【００１０】
そのため、このベルト止め具では、各固定板の間から、ループ状に折り返されたベルトの両端部を、各ガイド板の間にそれぞれ挿通して、各巻回杆を、各端部における折り返されたループ部に同時に挿通した後に、各ガイド板に同時に係止させることにより、ベルトを固定することができるので、簡易な構成によって、簡易かつ迅速な固定作業を実現することができる。その結果、固縛作業や荷締作業の効率化を図ることができる。
また、一方のガイド板の各挿通孔に、連結杆に連結される各巻回杆の一方側端部が挿通された状態で、各巻回杆の他方側端部を、他方のガイド板の各係止溝に、同時に係脱させることができる。そのため、ガイド板からのベルト巻回部材の不用意な脱落を防止しつつ、より一層簡易かつ迅速な固定作業を実現することができる。
また、各巻回杆の他方側端部は、まず、他方のガイド板の外側端部に当接するので、ベルトの長手方向内側方向に良好に案内されながら、各係止溝に嵌合される。そのため、巻回杆と係止溝とを簡易に係止させることができる。
【００１１】
また、請求項２に記載の発明は、請求項１に記載の発明において、各前記固定板におけるベルトの長手方向の内側端部であって、各ガイド板との連結部分には、ベルトの長手方向外側にえぐる湾曲状のえぐり部が形成されていることを特徴としている。
【００１２】
このような構成によると、各固定板には、ベルトの長手方向外側にえぐる湾曲状のえぐり部が形成されているので、確実な緊締状態における固定が確保される。
【００１５】
【発明の実施の形態】
図１は、本発明のベルト止め具の一実施形態を示す平面図、図２は、その斜視図、図３ないし図１０は、図１および図２に示すベルト止め具の使用方法の説明図である。
【００１６】
このベルト止め具１１は、たとえば、固縛作業や荷締作業において、たとえば、図１０に示すように、荷物１２に掛け回されるベルト１３を緊締状態で固定するために用いられる。なお、ベルト１３は、特に限定されず、たとえば、繊維製などからなる公知の固縛用ベルトや荷締用ベルトが用いられる。
【００１７】
図１および図２において、このベルト止め具１１は、ホルダ部材１４と、ベルト巻回部材１５とを備えている。
【００１８】
ホルダ部材１４は、金属製であって、ベルト１３の幅方向（長手方向と直交する方向）において、そのベルト１３を隔てて対向する２枚のガイド板１６および１７と、その２枚のガイド板１６および１７の間に架設される２枚の固定板１８および１９とが一体的に形成されている。
【００１９】
一方のガイド板１６は、略細長矩形平板状をなし、ベルト１３の長手方向（ベルト１３の掛け回し状態における緊締方向（連結方向））において、互いに所定の間隔を隔てて厚さ方向を貫通する円形状の２つの挿通孔２０および２１が穿孔形成されている。なお、各挿通孔２０および２１は、後述する巻回杆３１および３２を遊嵌できる、巻回杆３１および３２よりもやや大径に形成されている。
【００２０】
また、他方のガイド板１７も、一方のガイド板１６と同様に略細長矩形平板状をなし、ベルト１３の長手方向において、互いに所定の間隔を隔てて、各挿通孔２０および２１との対向位置に、係止溝２２および２３が、それぞれ形成されている。
【００２１】
各係止溝２２および２３は、他方のガイド板１７における上端から上下方向途中までを正面視略Ｕ字状に開口することによって形成されており、図４にも示すように、開口最深部（係止溝の下端部）２４から、開口端縁部（係止溝の上端部）２５に向かう途中に、開口幅が一旦やや幅狭くなる幅狭部２６が形成されるとともに、その幅狭部２６の上側からは、次第に湾曲状に広口となるガイド部２７が形成されている。
【００２２】
また、他方のガイド板１７における各係止溝２２および２３のベルト１３の長手方向における外側端部２８が、各係止溝２２および２３を隔てて対向する内側中央部２９に対してより高く形成されている。
【００２３】
一方の固定板１８は、図１および図２に示すように、略細長矩形平板状をなし、各ガイド板１６および１７におけるベルト１３の長手方向一方側の下端部を連結するように設けられている。より具体的には、この固定板１８は、幅方向両側端部が、ベルト１３の長手方向において、挿通孔２０および係止溝２２と対向するように設けられている。
【００２４】
また、他方の固定板１９は、一方の固定板１８と同様に略細長矩形平板状をなし、各ガイド板１６および１７におけるベルト１３の長手方向他方側の下端部を連結するように設けられている。より具体的には、この固定板１９は、幅方向両側端部が、ベルト１３の長手方向において、挿通孔２１および係止溝２３と対向するように設けられている。
【００２５】
そして、これら各固定板１８および１９は、ベルト１３の長手方向において、互いに所定の間隔を隔てて配置されている。なお、各固定板１８および１９におけるベルト１３の長手方向の内側端部であって、各ガイド板１６および１７との連結部分には、ベルト１３の長手方向外側にえぐる湾曲状のえぐり部３０が形成されている。
【００２６】
ベルト巻回部材１５は、図１および図２に示すように、金属製であって、略Ｕ字杆状をなし、所定間隔（各挿通孔２０および２１の間の間隔）を隔てて略平行状に対向配置される２つの丸棒状の巻回杆３１および３２と、それら巻回杆３１および３２の一方側端部を連結する丸棒状の連結杆３３とが一体的に形成されている。また、各巻回杆３１および３２の他方側端部には、各挿通孔２０および２１よりも大きく扁平扇状に膨出する係止頭部３４が形成されている。
【００２７】
そして、このベルト巻回部材１５は、各巻回杆３１および３２の一方側端部が、連結杆３３が一方のガイド板１６の幅方向外側に配置された状態で、一方のガイド板１６に穿孔形成されている各挿通孔２０および２１に、それぞれ挿通され、係止頭部３４が形成される他方側他端部が、その係止頭部３４の基端部において、各係止溝２２および２３に上下方向において着脱自在に係止されるように、ホルダ部材１４に組み付けられている。
【００２８】
なお、ベルト巻回部材１５がホルダ部材１４に組み付けられた状態においては、図１に示すように、各巻回杆３１および３２が、各固定板１８および１９と平面視において対向し、より具体的には、各巻回杆３１および３２は、各固定板１８および１９におけるベルト１３の長手方向内側端縁の近傍において対向し、その端縁とほぼ平行するように配置される。
【００２９】
また、このベルト巻回部材１５は、各巻回杆３１および３２の他方側端部の間隔が、図４に示すように、各係止溝２２および２３に係止されていない状態において、各係止溝２２および２３の間隔よりも、ベルト１３の長手方向において互いにやや外側に広がるような弾性を有する略Ｕ字杆状に形成されている。
【００３０】
次に、図３ないし図１０を参照して、このベルト止め具１１を用いて、図１０に示すように、荷物１２を固縛または荷締したベルト１３を、緊締状態で固定する方法について説明する。
【００３１】
この方法では、まず、図３に示すように、矢印で示すように、各巻回杆３１および３２の他方側端部に形成される係止頭部３４を、他方のガイド板１７に形成される各係止溝２２および２３に対して上方に引き上げて、各巻回杆３１および３２の他方側端部を、各係止溝２２および２３から脱離させる。その後、白矢印で示すように、連結杆３３を幅方向外側に引張って、一方のガイド板１６に形成される各挿通孔２０および２１に対して、各巻回杆３１および３２を、幅方向外側に同時に移動させる。そうすると、図５に示すように、各ガイド板１６および１７の間が、ベルト１７の長手方向において開放される。なお、ベルト巻回部材１５は、各巻回杆３１および３２の係止頭部３４が、各係止溝２２および２３に引掛かかるので、ホルダ部材１４からの脱落が防止される。
【００３２】
次いで、図５に示すように、荷物１２に掛け回したベルト１３の両端部３５および３６（なお、このベルト１３は、図８に示すように、連続する長尺のベルト１３がロール状に巻回されてなり、その一方側端部３５が遊端側とされ、その他方側端部３６が巻回側とされている。）を、それぞれ折り返してループ部３７および３８を形成し、その状態で、各固定板１８および１９の間に対向方向から挿通し、ベルト１３の一方側端部３５のループ部３７を、一方の巻回杆３１に、ベルト１３の他方側端部３６のループ部３８を、他方の巻回杆３２にそれぞれ対向させる。
【００３３】
なお、以下の説明において、ベルト１３の一方側端部３５においては、ループ部３７を境として、その一方側端部３５を、荷物掛回側と遊端側とに区別する場合があり、また、ベルト１３の他方側端部３６においても、ループ部３８を境として、その他方側端部３６を、荷物掛回側と巻取側とに区別する場合がある。
【００３４】
そして、連結杆３３を幅方向内側に押圧して、一方のガイド板１６に形成される各挿通孔２０および２１に対して、各巻回杆３１および３２を、幅方向内側に同時に移動させる。そうすると、図６に示すように、各巻回杆３１および３２が、各ループ部３７および３８に同時に挿通される。その後、矢印に示すように、各巻回杆３１および３２の他方側端部に形成される係止頭部３４を、下方に押し下げて、他方のガイド板１７に形成される各係止溝２２および２３に、各巻回杆３１および３２の他方側端部を、係止頭部３４の基端部において嵌合させることにより係止させる。
【００３５】
この係止においては、図４に示すように、各係止溝２２および２３に形成される幅狭部２６によって、各巻回杆３１および３２の他方側端部の上側への移動が規制されるため、各巻回杆３１および３２の他方側端部は、開口最深部２４において確実に嵌合され、各係止溝２２および２３からの不用意な脱離が確実に防止される。
【００３６】
また、この係止においては、ベルト巻回部材１５が、各巻回杆３１および３２の他方側端部において弾性が発現されるような略Ｕ字状に形成されており、係止前の状態においては、図４に示すように、各他方側端部の間隔が各係止溝２２および２３の間隔よりもやや広がっているので、各他方側端部が各係止溝２２および２３に係止されると、それら他方側端部が、各係止溝２２および２３を、ベルト１３の長手方向外側に付勢することができる。そのため、簡易な構成によって、各巻回杆３１および３２の他方側端部を下方に押し下げるのみで、より一層、確実な係止を実現することができる。
【００３７】
さらに、この係止においては、上記したように、係止前の状態においては、各巻回杆３１および３２の他方側端部の間隔が、各係止溝２２および２３の間隔よりもやや広がっているが、各係止頭部３４を下方に押し下げると、各巻回杆３１および３２の他方側端部は、まず、他方のガイド板１７の各外側端部２８のガイド部２７に当接するので、そのガイド部２７に沿って、ベルト１３の長手方向内側方向に良好に案内されながら、各係止溝２２および２３の開口最深部２４に嵌合される。そのため、上記したような確実な係止を実現しつつ、簡易に係止させることができる。
【００３８】
そして、図７および図８に示すように、公知のベルト緊締器４１などを用いて、ベルト１３の他方側端部３６を緊締すれば、荷物１２に掛け回されているベルト１３が緊締され、そのベルト１３の両端部３５および３６が緊締されることにより、緊締状態において、ベルト１３がベルト止め具１１によって固定される。
【００３９】
より具体的には、ベルト緊締器４１は、たとえば、図７および図８に示すように、揺動レバー４２、ワンウエイラチェット機構部４３、巻取リール４４、ベルト圧接機構部４５などを備えている。そして、ベルト圧接機構部４５によって、ベルト１３の他方側端部３６における荷物掛回側を、緊締方向の移動のみを許容するように圧接した状態で、巻取リール４４に、ベルト１３の他方側端部３６における巻回側途中を挟持させ、その後、揺動レバー４２を上下方向に往復揺動させる。そうすると、ワンウエイラチェット機構部４３を介して、巻取りリール４４が、巻取方向のみに回動して、ベルト１３の他方側端部３６における巻回側が引張られるので、これによって、荷物１２に掛け回されているベルト１３の両端部３５および３６が緊締され、ベルト１３の両端部３５および３６、より具体的には、ベルト１３の一方側端部３５における遊端側およびベルト１３の他方側端部３６における巻回側が、固定板１８および１９におけるベルト１３の長手方向内側端縁に接触して、その摩擦抵抗によって、ベルト１３の両端部３５および３６、より具体的には、ベルト１３の一方側端部３５における荷物掛回側およびベルト１３の他方側端部３６における荷物掛回側が緊締状態において固定される。
【００４０】
なお、このような固定においては、各巻回杆３１および３２が、各固定板１８および１９におけるベルト１３の長手方向内側端縁の近傍において対向して、その端縁とほぼ平行するように配置されており、しかも、各固定板１８および１９には、ベルト１３の長手方向外側にえぐる湾曲状のえぐり部３０が形成されていることから、確実な緊締状態における固定が確保される。
【００４１】
そして、ベルト緊締器４１による緊締が終了した後、図９に示すように、ベルト１３の他方側端部３６における巻回側を、ロール状に巻回されているベルト１３から切断することにより、図１０に示すように、荷物１２にベルト１３を掛け回して、それをベルト止め具１１によって、緊締状態において固定する固縛または荷締の作業が終了する。
【００４２】
そして、上記したように、このベルト止め具１１では、ベルト巻回部材１５が、２つの巻回杆３１および３２とそれらを連結する連結杆３３とから略Ｕ字状に一体的に形成されているので、巻回杆３１および３２の他方側端部を、他方のガイド板１７に形成される各係止溝２２および２３に対して一体的に係脱させることができる。
【００４３】
そのため、このベルト止め具１１では、各固定板１８および１９の間から、ループ状に折り返されたベルト１３の両端部３５および３６を挿通して、ベルト１３の一方側端部３５のループ部３７を、一方の巻回杆３１に、ベルト１３の他方側端部３６のループ部３８を、他方の巻回杆３２にそれぞれ対向させた後には、各巻回杆３１および３２を、各ループ部３７および３８に同時に挿通して、各係止溝２２および２３に同時に係止させることにより、ベルト１３を緊締状態で固定することができる。その結果、簡易な構成によって、簡易かつ迅速な固定作業を実現することができ、固縛作業や荷締作業の効率化を図ることができる。
【００４４】
また、このベルト止め具１１では、一方のガイド板１６の各挿通孔２０および２１に、連結杆３３に連結される各巻回杆３１および３２の一方側端部が挿通された状態で、各巻回杆３１および３２の他方側端部を、他方のガイド板１７の各係止溝２２および２３に、同時に係脱させることができる。そのため、各ガイド板１６および１７からのベルト巻回部材１５の不用意な脱落を防止しつつ、より一層簡易かつ迅速な固定作業を実現することができる。
【００４５】
なお、上記の説明において、図１に示すベルト止め具１１のベルト巻回部材１５の連結杆３３は、略直杆状に形成されているが、たとえば、図１１に示すように略Ｖ字状や、図１２に示すように略Ｕ字状など、連結杆３３の中央部（ベルト１３の長手方向中央部）が、より外側（ベルト１３の幅方向外側）に向かうような湾曲状に形成してもよい。このように形成すると、各巻回杆３１および３２の他方側端部において、より一層、弾性が発現されるので、各他方側端部が各係止溝２２および２３に係止されると、それら他方側端部が、各係止溝２２および２３を、ベルト１３の長手方向外側に、より一層、付勢することができ、より一層、確実な係止を実現することができる。
【００４６】
また、たとえば、図１３に示すように、他方のガイド板１７の各外側端部２８および内側中央部２９を略同一の高さとして、各係止溝２２および２３を、ベルト１３の長手方向における外側に向かう長孔２２ａおよび２３ａとして形成するようにしても、より一層、確実な係止を実現することができる。
【００４７】
【発明の効果】
以上述べたように、請求項１に記載の発明によれば、簡易な構成によって、簡易かつ迅速な固定作業を実現することができ、個縛作業や荷締作業の効率化を図ることができる。また、ガイド板からのベルト巻回部材の不用意な脱落を防止しつつ、より一層簡易かつ迅速な固定作業を実現することができる。また、巻回杆と係止溝とを簡易に係止させることができる。
【００４８】
請求項２に記載の発明によれば、確実な緊締状態における固定が確保される。
【図面の簡単な説明】
【図１】本発明のベルト止め具の一実施形態を示す平面図である。
【図２】図１に示すベルト止め具の斜視図である。
【図３】図１に示すベルト止め具の使用方法の説明図であって、各巻回杆の他方側端部を各係止溝から脱離させた状態を示す。
【図４】図３における要部正面図である。
【図５】図１に示すベルト止め具の使用方法の説明図であって、各ガイド板の間をベルトの長手方向において開放した状態を示す。
【図６】図１に示すベルト止め具の使用方法の説明図であって、各巻回杆を各ループ部に同時に挿通させた状態を示す。
【図７】図１に示すベルト止め具の使用方法の説明図であって、ベルト緊締器を用いて、ベルトの他方側端部における巻回側を緊締する状態を示す。
【図８】図７における側断面図である。
【図９】図１に示すベルト止め具の使用方法の説明図であって、ベルト緊締器による緊締が終了した後に、ベルトの他方側端部における巻回側を、ロール状に巻回されているベルトから切断した状態を示す。
【図１０】図１に示すベルト止め具の使用方法の説明図であって、固縛または荷締の作業が終了した状態を示す。
【図１１】図１に示すベルト止め具の他の実施形態（連結杆がＶ字形状）を示す平面図である。
【図１２】図１に示すベルト止め具の他の実施形態（連結杆がＵ字形状）を示す平面図である。
【図１３】図１に示すベルト止め具の他の実施形態（各係止溝が長孔形状）を示す要部正面図である。
【図１４】従来のベルト止め具を示す斜視図である。
【符号の説明】
１１  ベルト止め具
１３  ベルト
１５  ベルト巻回部材
１６  ガイド板
１７  ガイド板
１８  固定板
１９  固定板
２０  挿通孔
２１  挿通孔
２２  係止溝
２３  係止溝
３１  巻回杆
３２  巻回杆
３３  連結杆
【図１】
0003646103.tif 000002
【図２】
0003646103.tif 000003
【図３】
0003646103.tif 000004
【図４】
0003646103.tif 000005
【図５】
0003646103.tif 000006
【図６】
0003646103.tif 000007
【図７】
0003646103.tif 000008
【図８】
0003646103.tif 000009
【図９】
0003646103.tif 000010
【図１０】
0003646103.tif 000011
【図１１】
0003646103.tif 000012
【図１２】
0003646103.tif 000013
【図１３】
0003646103.tif 000014
【図１４】
0003646103.tif 000015